(57)【要約】【課題】高い演色性を維持しつつ、高い発光効率を得ることが可能であり、かつ所望の色度の光の発光を実現可能な発光装置を提供することを目的としている。【解決手段】本発明の発光装置は、基板と；前記基板上に所定の配列パターンで配置された、それぞれ単色光を発光する３群以上の発光部群と；を備えており、前記発光部群の１つは、前記基板上に配置された複数の青色光を発光する発光素子と、該発光素子の上に被覆された透明樹脂層を有し、前記透明樹脂層を有する発光部群以外の発光部群は、前記基板上に配置された複数の青色光を発光する発光素子と、前記発光素子の上に被覆された該発光素子から放射される青色光により可視光を発光する蛍光体であり、かつ発光部群ごとに種類および配合比を同一とする蛍光体を含む蛍光体層を有する、ことを特徴とする。【選択図】図１
2008218486.tif 000002
【特許請求の範囲】
【請求項１】
基板と；
前記基板上に所定の配列パターンで配置された、それぞれ単色光を発光する３群以上の発光部群であり、前記発光部群の１つは、前記基板上に配置された複数の青色光を発光する発光素子と、該発光素子の上に被覆された透明樹脂層を有し、前記透明樹脂層を有する発光部群以外の発光部群は、前記基板上に配置された複数の青色光を発光する発光素子と、該発光素子の上に被覆された前記青色光により可視光を発光する蛍光体であり、かつ発光部群ごとに種類および配合比を同一とする蛍光体を含む蛍光体層を有するものである発光部群と；
を具備することを特徴とする発光装置。
【請求項２】
前記透明樹脂層を有する発光部群以外の発光部群が、前記発光素子から放射される青色光により励起されて緑色光を発光する緑色蛍光体を含む蛍光体層を有する第１の発光部群と、前記発光素子から放射される青色光により励起されて黄色光を発光する黄色蛍光体を含む蛍光体層を有する第２の発光部群と、前記発光素子から放射される青色光により励起されて赤色光を発光する赤色蛍光体を含む蛍光体層を有する第３の発光部群と、からなることを特徴とする請求項１記載の発光装置。
【請求項３】
基板と；
前記基板上に所定の配列パターンで配置された、それぞれ単色光を発光する３群以上の発光部群であり、前記発光部群は、前記基板上に配置された複数の紫外光を発光する発光素子と、前記紫外光により可視光を発光する蛍光体であり、かつ発光部群ごとに種類および配合比を同一とする蛍光体を含む蛍光体層を有するものである発光部群と；
を具備することを特徴とする発光装置。
【請求項４】
前記発光部群が、前記発光素子から放射される紫外光により励起されて青色光を発光する青色蛍光体を含む蛍光体層を有する第４の発光部群と、前記発光素子から放射される紫外光により励起されて緑色光を発光する緑色蛍光体を含む蛍光体層を有する第５の発光部群と、前記発光素子から放射される紫外光により励起されて黄色光を発光する黄色蛍光体を含む蛍光体層を有する第６の発光部群と、前記発光素子から放射される紫外光により励起されて赤色光を発光する赤色蛍光体を含む蛍光体層を有する第７の発光部群と、からなることを特徴とする請求項３記載の発光装置。
【請求項５】
前記所定の配列パターンがライン状又はマトリックス状であることを特徴とする請求項１ないし４のいずれか１項記載の発光装置。
【請求項６】
前記発光部群からの光により白色光を発光すること特徴とする請求項１ないし５のいずれか１項記載の発光装置。
【請求項７】
前記発光部群からの光により可変色域が調整された光を発光することを特徴とする請求項光１ないし５のいずれか一項記載の発光装置。
【発明の詳細な説明】
【技術分野】
【０００１】
本発明は、発光ダイオードなどの発光装置に関する。
【背景技術】
【０００２】
発光ダイオード（ＬＥＤ：Light Emitting Diode）を用いたＬＥＤランプは、液晶ディスプレイ、携帯電話、情報端末などのバックライト、屋内外広告など、多方面への展開が飛躍的に進んでいる。さらに、ＬＥＤランプは、長寿命で信頼性が高く、また低消費電力、耐衝撃性、高純度表示色、軽薄短小化の実現などの特徴を有することから、産業用途のみならず一般照明用途への適用も試みられている。このようなＬＥＤランプを種々の用途に適用する場合、白色発光を得ることが重要となる。
【０００３】
ＬＥＤランプで白色発光を実現する代表的な方式としては、（１）青、緑および赤の各
色に発光する３つのＬＥＤチップを使用する方式、（２）青色発光のＬＥＤチップと黄色
ないし橙色発光の蛍光体とを組合せる方式、（３）紫外線発光のＬＥＤチップと青色、緑
色および赤色発光の三色混合蛍光体とを組合せる方式、の３つが挙げられる。これらのう
ち、一般的には（２）の方式が広く実用化されている。そして、上記した（２）の方式を適用したＬＥＤランプの構造としては、ＬＥＤチップを装備したカップ型のフレーム内に蛍光体を混合した透明樹脂を流し込み、これを固化させて蛍光体を含有する樹脂層を形成した構造が一般的である（例えば、特許文献１参照）。上記のような砲弾型ＬＥＤ素子や、ＳＭＤ（Surface Mounting Device）タイプに加え、高輝度化を目的に、基板（ボード）の上に複数のチップを搭載したチップオンボード（ＣＯＢ）が開発され注目されている。一般照明用として求められる特性としては、ＬＥＤランプとしての高い効率（発光効率）に加え、色の見え方の指標としての演色性、特に平均演色評価数Ｒａがある。この演色性は、蛍光ランプなどにならったＲａ８０〜８５やＲａ９０以上などのラインナップが求められている。
【０００４】
演色性は、自然光に近い照明を基準光にして光源による色の見え方を評価したものであり、ＪＩＳに定められている試験色を、試料光源と基準光でそれぞれ照明したときの色ずれの大きさを数値化したものが演色評価数である。演色評価数には、平均演色評価数Ｒａと特殊演色評価数Ｒｉがあり、平均演色評価数Ｒａは、試験Ｎｏ．１〜８の演色評価数値の平均値として表される。特殊演色評価数Ｒｉは、試験Ｎｏ．９〜１５の個々の特殊演色評価数値として表される。演色評価指数Ｒａは、基準光源である白色光源による色彩を忠実に再現しているかを指数で表したもので、原則として１００に近いほど演色性が良い。
【０００５】
一般に、平均演色評価数Ｒａの高いいわゆる高演色タイプのＬＥＤランプは、ＬＥＤチップからの青色発光によって、波長５４０ｎｍ〜５６０ｎｍの光を発光するＹＡＧなどの黄色系蛍光体からの黄色発光と、波長６２０ｎｍの光を発光する赤色発光体からの赤色発光で演色性にすぐれる白色光を合成する。平均演色評価数Ｒａをあげるためには、上記のように赤色発光する赤色蛍光体を用いるのが通常であるが、赤色蛍光体は４６０ｎｍ付近の青色光を励起に用いるのみならず、緑色蛍光体から発光される緑色光や黄色系蛍光体から発光される黄色光も励起に用いるため、赤色発光の蛍光体を使用するとＬＥＤランプの発光効率が約半減となり、大幅に低下するという問題があった。
【０００６】
そのため、赤色発光の蛍光体ではなく、赤色発光する発光素子を用いることが試みられている。しかしながら、この発光素子からの赤色発光はブロードな発光ではなく半値幅が狭いため、色温度を低減させることはできるが、平均演色評価数Ｒａの上昇幅が小さい。したがって、高い演色性である平均演色評価数Ｒａ８５ないしは９０以上を実現することは難しい。
【０００７】
加えて、光色すなわち色温度についても、ＨＩＤランプ、電球、蛍光ランプを考慮した場合には、各種色温度６７００Ｋ、５０００Ｋ、４２００Ｋ、３０００Ｋ（２８５０Ｋ）までのラインナップが必要とされる。一般に、このようなラインナップに対応するためには、各色温度のみに対応した白色ＬＥＤランプが必要である。一方、可変色ＬＥＤランプが提案されている（例えば、特許文献２参照）。しかしながら、このような可変色ＬＥＤは、白色ＬＥＤからの調整で、一方向への可変色のみであることから、色の偏差（ＤＵＶ）がずれて黒体放射から外れてしまい、色温度の変化よりも偏差の変化によって色の品位が低下してしまう問題がある。したがって、一方向への可変色のみではなく、所望の（任意な）方向への可変色を実現することが必要とされている。
【特許文献１】特開２００１−１４８５１６公報
【特許文献２】特開２００５−１００７９９公報
【発明の開示】
【発明が解決しようとする課題】
【０００８】
本発明はこのような問題を解決するためになされたもので、高い演色性を維持しつつ、高い発光効率を得ることが可能であり、かつ所望の色度の光の発光を実現可能な発光装置を提供することを目的としている。
【課題を解決するための手段】
【０００９】
請求項１記載の発光装置は、基板と；前記基板上に所定の配列パターンで配置された、それぞれ単色光を発光する３群以上の発光部群であり、前記発光部群の１つは、前記基板上に配置された複数の青色光を発光する発光素子と、該発光素子の上に被覆された透明樹脂層を有し、前記透明樹脂層を有する発光部群以外の発光部群は、前記基板上に配置された複数の青色光を発光する発光素子と、該発光素子の上に被覆された前記青色光により可視光を発光する蛍光体であり、かつ発光部群ごとに種類および配合比を同一とする蛍光体を含む蛍光体層を有するものである発光部群と；を具備することを特徴としている。
【００１０】
請求項２記載の発光装置は、請求項１記載の発光装置において、前記透明樹脂層を有する発光部群以外の発光部群が、前記発光素子から放射される青色光により励起されて緑色光を発光する緑色蛍光体を含む蛍光体層を有する第１の発光部群と、前記発光素子から放射される青色光により励起されて黄色光を発光する黄色蛍光体を含む蛍光体層を有する第２の発光部群と、前記発光素子から放射される青色光により励起されて赤色光を発光する赤色蛍光体を含む蛍光体層を有する第３の発光部群と、からなることを特徴としている。
【００１１】
請求項３記載の発光装置は、基板と；前記基板上に所定の配列パターンで配置された、それぞれ単色光を発光する３群以上の発光部群であり、前記発光部群は、前記基板上に配置された複数の紫外光を発光する発光素子と、前記紫外光により可視光を発光する蛍光体であり、かつ発光部群ごとに種類および配合比を同一とする蛍光体を含む蛍光体層を有するものである発光部群と；を具備することを特徴としている。
【００１２】
請求項４記載の発光装置は、請求項３記載の発光装置において、前記発光部群が、前記発光素子から放射される紫外光により励起されて青色光を発光する青色蛍光体を含む蛍光体層を有する第４の発光部群と、前記発光素子から放射される紫外光により励起されて緑色光を発光する緑色蛍光体を含む蛍光体層を有する第５の発光部群と、前記発光素子から放射される紫外光により励起されて黄色光を発光する黄色蛍光体を含む蛍光体層を有する第６の発光部群と、前記発光素子から放射される紫外光により励起されて赤色光を発光する赤色蛍光体を含む蛍光体層を有する第７の発光部群と、からなることを特徴としている。
【００１３】
請求項５記載の発光装置は、請求項１ないし４のいずれか１項記載の発光装置において、前記所定の配列パターンがライン状又はマトリックス状であることを特徴としている。
【００１４】
請求項６記載の発光装置は、請求項１ないし５のいずれか１項記載の発光装置において、前記発光部群からの光により白色光を発光すること特徴としている。
【００１５】
請求項７記載の発光装置は、請求項１ないし５のいずれか１項記載の発光装置において、前記発光部群からの光により可変色域が調整された光を発光することを特徴としている。
【００１６】
上記した請求項１ないし請求項７記載の発明において、用語の定義および技術的意味は、特に指定しない限り以下の通りである。発光部群は、基板上に所定の配列パターンで配列された複数の発光素子と該発光素子の上に被覆された蛍光体を含む蛍光体層もしくは蛍光体を含まない透明樹脂層から構成される。
【００１７】
青色光を放射する発光素子は、主波長が４２０〜４８０ｎｍ（例えば４６０ｎｍ）の青色光を放射し、放射した青色光により蛍光体を励起して可視光を発光させるものである。本発明で用いられる青色光を放射する発光素子としては、例えば、青色発光タイプのＬＥＤチップなどが挙げられるが、これに限定されるものではない。
【００１８】
紫外光を放射する発光素子は、主波長が３５０〜４１０ｎｍ（例えば３６５ｎｍ）の紫外光を放射し、放射した紫外光により蛍光体を励起して可視光を発光させるものである。本発明で用いられる紫外光を放射する発光素子としては、例えば紫外発光タイプのＬＥＤチップなどが挙げられるが、これに限定されるものではない。
【００１９】
青色光を放射する発光素子に用いる蛍光体は、前記青色光により励起されて可視光を発光するものであり、可視光と発光素子から放射される青色光との混色によって、所望の発光色（単色）を得ることができる。これらの蛍光体としては、前記青色光により励起されて緑色光を発光する緑色蛍光体、前記青色光により励起されて黄色光を発光する黄色蛍光体および前記青色光により励起されて赤色光を発光する赤色蛍光体を使用することができる。
【００２０】
紫外光を放射する発光素子に用いる蛍光体は、前記子紫外光により励起されて可視光を発光するものであり、所望の発光色（単色）を得ることができる。これらの蛍光体としては、前記紫外光により励起されて青色光を発光する青色蛍光体、前記紫外光により励起されて緑色光を発光する緑色蛍光体、前記青色光により励起されて黄色光を発光する黄色蛍光体および前記青色光により励起されて赤色光を発光する赤色蛍光体を使用することができる。
【００２１】
蛍光体を含む蛍光体層は、前記の蛍光体を、シリコーン樹脂やエポキシ樹脂のような透明樹脂に加えて混合・分散させた層として形成される。蛍光体層は、発光素子の外側を覆うように形成することができるが、発光素子を直接覆うようにして予め透明樹脂層を形成し、その上に前記した蛍光体を含む層を設けることも可能である。なお、青色光を発光（放射）する場合には、蛍光体層の代わりに、蛍光体を含まない透明樹脂層のみを形成させる。
【００２２】
蛍光体は、各々の発光部群ごとにその種類および配合比が同一である。蛍光体の種類が同一とは、用いられる蛍光体の種類、例えば蛍光体の構造、組成などが（実質的に）同一であることを意味する。蛍光体の配合比が（実質的に）同一とは、蛍光体が含まれる蛍光体層における蛍光体の配合比（配合量）が同一であることを意味する。蛍光体が、各々の発光部群ごとにその種類および配合比が同一であるので、蛍光体からの単色光の発光のばらつきが抑制でき、発光装置から色度などのばらつきの少ない発光を得ることができる。
【００２３】
発光部群が基板上に配置される配列パターンは、いずれの配列パターンを用いることができるが、ライン状又はマトリックス状が好ましい。同一基板上の複数の発光素子上にライン状又はマトリックス状に蛍光体層を形成させることにより、各々の発光部群ごとの蛍光体のばらつき、特に塗布量に起因するばらつきがより抑制される。また、配列パターンがライン状の場合には、発光部群ごとに蛍光体の種類および配合比を同一としやすく、また製造も容易であり、配列パターンがマトリックス状の場合には、各発光部群から得られる単色光の混色が容易になる。また、ライン状、すなわち複数のチップ上に蛍光体層をライン状に形成させる場合には、ライン状に形成された蛍光体層の塗布量、すなわち厚さ（光路長）をより均一にすることができる。
【００２４】
請求項１記載の発光装置によれば、青色光の発光素子を用いて、それぞれ単色光を発光する３群以上の発光部群とを用いることにより、発光部群ごとに蛍光体を励起でき単色光が得られるので、高い演色性を維持しつつ、高い発光効率を得ることが可能であり、かつ所望の色度の光の発光を実現可能な発光装置を提供することができる。
【００２５】
請求項３記載の発光装置によれば、紫外光の発光素子を用いて、それぞれ単色光を発光する３群以上の発光部群とを用いることにより、発光部群ごとに蛍光体を励起でき単色光が得られるので、高い演色性を維持しつつ、高い発光効率を得ることが可能であり、かつ所望の色度の光の発光を実現可能な発光装置を提供することができる。
【００２６】
請求項２および４記載の発光装置によれば、発光部群の１つに、発光素子の上に被覆された蛍光体層中に赤色蛍光体を使用しているので、赤色蛍光体が緑色光および黄色光を励起光として吸収することを低減できるので、より高い演色性を維持しつつ、より高い発光効率を得ることが可能であり、かつ所望の色度の光の発光を実現可能な発光装置を提供することができる。
【００２７】
請求項５記載の発光装置によれば、前記所定の配列パターンがライン状又はマトリックス状であり、蛍光体のばらつきがより抑制されるので、色度などのばらつきのより少ない発光を得ることができる。
【００２８】
請求項６記載の発光装置によれば、黒体放射からの偏差の少ない所望の色温度における白色光を得ることができる。
【００２９】
請求項７記載の発光装置によれば、色度において所望の方向への可変色化が可能であるので、可変色域が調整された所望の色度の光を得ることができる。よって用途に応じた範囲での可変色のラインナップが可能となる。
【００３０】
したがって、本発明によれば、高い演色性を維持しつつ、高い発光効率を得ることが可能であり、かつ所望の色度の光の発光を実現可能な発光装置を提供することができる。また、黒体放射からの偏差の少ない所望の色温度における白色光を得ることができる。さらに、色度において所望の方向への可変色化が可能であるので、可変色域が調整された所望の色度の光を得ることができ、用途に応じた範囲での可変色のラインナップが可能となる。また、照明用途だけでなく、表示板等としても使用可能となる。
【発明を実施するための最良の形態】
【００３１】
以下、本発明を実施するための形態について、図面を参照して説明する。図１および図２は、本発明の一実施形態に係わる発光装置の一例を示している。図１は、この発光装置の平面図であり、図２は、図１に示す発光装置をＦ−Ｆ´線に沿って切断した縦断面図である。
【００３２】
図１および図２に示す発光装置（ＣＯＢモジュール）１は、パッケージ基板例えば装置基板４と、前記装置基板４上に所定の配列パターンで配置された、青色光を発光する青色発光部群２Ｂと、緑色光を発光する緑色発光部群２Ｇと、赤色光を発光する赤色発光部群２Ｒと、反射層３１と、回路パターン３と、接着層３２と、光拡散部材３３と、リフレクタ３４とを備えて形成されている。
【００３３】
青色光を発光する青色発光部群２Ｂは、複数の青色ＬＥＤチップ２と、蛍光体を含まない樹脂層（透明樹脂層）９Ｂとを備えている。緑色光を発光する緑色発光部群２Ｇは、複数の青色ＬＥＤチップ２と、前記青色光により励起されて緑色光を発光する蛍光体を含有する緑色蛍光体樹脂層９Ｇとを備えている。赤色光を発光する赤色発光部群２Ｒは、複数の青色ＬＥＤチップ２と、前記青色光により励起されて赤色光を発光する蛍光体を含有する赤色蛍光体樹脂層９Ｒとを備えている。
【００３４】
青色ＬＥＤチップ２は、回路パターン３を有する基板４上に反射層３１および接着層３２を介して搭載されている。この基板４上に反射層３１を介して陰極側と陽極側の回路パターン３がそれぞれ形成されている。回路パターン３は、ＣｕとＮｉの合金やＡｕなどから構成されている。青色ＬＥＤチップ２の上部および周辺部に、透明樹脂に混合し分散させた蛍光体含有樹脂が塗布・充填されており、青色ＬＥＤチップ２はこのような蛍光体含有樹脂層９により覆われている。透明樹脂としては、例えばシリコーン樹脂やエポキシ樹脂などが用いられる。
【００３５】
青色光により励起されて緑色を発光する緑色蛍光体は、例えばＲＥ３（Ａｌ，Ｇａ）５Ｏ１２：Ｃｅ蛍光体（ＲＥは、Ｙ、ＧおよびＬａから選ばれる少なくとも１種を示す。）などのＹＡＧ蛍光体、ＡＥ２ＳｉＯ４：Ｅｕ蛍光体（ＡＥは、Ｓｒ、Ｂａ、Ｃａなどのアルカリ土類元素を示す。）やＣａ３Ｓｃ２Ｓｉ３Ｏ１２：Ｃｅ蛍光体などのケイ酸塩蛍光体、サイアロン系蛍光体（例えば、ＣａXＳｉｙＡｌZＯＮ：Ｅｕ２＋）、およびＣａ３Ｓｃ２Ｏ４：Ｃｅ蛍光体などの中から選択される。青色光により励起されて赤色を発光する赤色蛍光体としては、Ｌａ２Ｏ２Ｓ：Ｅｕ蛍光体のような酸硫化物蛍光体、窒化物系蛍光体（例えば、ＡＥ２Ｓｉ５Ｎ８：Ｅｕ２＋やＣａＡｌＳｉＮ３：Ｅｕ２＋）などが用いられるが、特に限定されるものではない。青色光により励起されて黄色を発光する黄色蛍光体は、例えばＲＥ３（Ａｌ，Ｇａ）５Ｏ１２：Ｃｅ蛍光体（ＲＥは、Ｙ、ＧｄおよびＬａから選ばれる少なくとも１種を示す。）などのＹＡＧ蛍光体、（Ｔｂ，Ａｌ）５Ｏ１２：Ｃｅ蛍光体などのＴＡＧ蛍光体、サイアロン系蛍光体（例えば、ＣａＸＳｉＹＡｌＺＯＮ：Ｅｕ２＋）、ＡＥ２ＳｉＯ４：Ｅｕ蛍光体（ＡＥは、Ｓｒ、Ｂａ、Ｃａなどのアルカリ土類元素を示す。）やＳｒ３Ｓｉ３Ｏ５：Ｅｕ２＋蛍光体などのケイ酸塩蛍光体などの中から、蛍光体の特性や用途に応じて選択される。例えば、前記青色光により励起されて波長５００ｎｍ以上５４０ｎｍ未満の範囲に発光強度のピーク（以下、「発光ピーク」と称する。）を有する緑色蛍光体、波長５４０ｎｍ以上５９０ｎｍ未満の範囲に発光ピークを有する黄色蛍光体および波長５９０ｎｍ以上６５０ｎｍ未満の範囲に発光ピークを有する赤色蛍光体などを用いることができる。なお、これら各単色光を発光する各発光部群の蛍光体の種類および配合割合は、発光装置からの発光の平均演色評価数Ｒａが高く、かつ高い発光効率が得られるように、また、所望の色温度における白色などが得られるように調整される。
【００３６】
装置基板４は、金属または絶縁材、例えば合成樹脂製の平板からなり、発光装置１に必要とされる発光面積を得るために、所定形状例えば長方形状をなしている。装置基板４を合成樹脂製とする場合、例えば、ガラス粉末入りのエポキシ樹脂等で形成することができる。装置基板４を金属製とする場合は、この装置基板４の裏面からの放熱性が向上し、装置基板４の各部温度を均一にすることができ、同じ波長域の光を発する半導体発光素子２の発光色のばらつきを抑制することができる。なお、このような作用効果を奏する金属材料としては、１０Ｗ／ｍ・Ｋ以上の熱伝導性に優れた材料、具体的にはアルミニウムまたはその合金を例示することができる。
【００３７】
反射層３１は、所定数の半導体発光素子２を配設し得る大きさであって、例えば、装置基板４の表面全体に被着されている。反射層３１は、４００〜７４０ｎｍの波長領域で８５％以上の反射率を有する白色の絶縁材料により構成することができる。このような白色絶縁材料としては、接着シートからなるプリプレグ（pre-preg）を使用することができる。このようなプリプレグは、例えば、酸化アルミニウム等の白色粉末が混入された熱硬化性樹脂をシート基材に含浸させて形成することができる。反射層３１はそれ自体の接着性により、装置基板４の表面となる一面に接着される。
【００３８】
回路パターン３は、各半導体発光素子２への通電要素として、反射層３１の装置基板４が接着された面とは反対側の面に接着されている。この回路パターン３は、例えば各半導体発光素子２を直列に接続するために、装置基板４および反射層３１の長手方向に所定間隔ごとに点在して２列に形成されている。一方の回路パターン３の列の一端側に位置する端側回路パターン３ａには、給電パターン部３ｃが一体に連続して形成され、同様に他方の回路パターン３の列の一端側に位置する端側回路パターン３ａには、給電パターン部３ｄが一体に連続して形成されている。給電パターン部３ｃ，３ｄは反射層３１の長手方向一端部に並べて設けられ、互いに離間して反射層３１により絶縁されている。これらの給電パターン部３ｃ，３ｄのそれぞれに、電源に至る図示しない電線が個別に半田付け等で接続されるようになっている。
【００３９】
各半導体発光素子２は、装置基板４の長手方向に隣接した回路パターン３間にそれぞれ配置され、白色の反射層３１の同一面上に接着層３２により接着されている。具体的には、半導体発光層２ａが積層された素子基板２ｂの一面と平行な他面が、接着層３２により反射層３１に接着されている。この接着により、回路パターン３および半導体発光素子２は反射層３１の同一面上で直線状に並べられるので、この並び方向に位置した半導体発光素子２の側面と回路パターン３とは、近接して対向するように設けられている。接着層３２の厚みは、例えば５μｍ以下とすることができる。接着層３２には、例えば５μｍ以下の厚みで光透過率が７０％以上の透光性を有した接着剤、例えばシリコーン樹脂系の接着剤を好適に使用できる。
【００４０】
図１および図２に示すように、各半導体発光素子２の電極と半導体発光素子２の両側に近接配置された回路パターン３とは、ボンディングワイヤ６で接続されている。さらに、前記２列の回路パターン３列の他端側に位置された端側回路パターン３ｂ同士も、ボンディングワイヤ６で接続されている。したがって、この実施形態の場合、各半導体発光素子２は直列に接続されている。以上の装置基板４、反射層３１、回路パターン３、各半導体発光素子２、接着層３２、およびボンディングワイヤ６により、発光装置１の面発光源が形成されている。
【００４１】
リフレクタ３４は、一個一個または数個の半導体発光素子２ごとに個別に設けられるものではなく、反射層３１上の全ての半導体発光素子２を包囲する単一のものであり、例えば長方形の枠で形成されており、半導体発光素子２は前記枠で形成された凹部７内に配置されている。リフレクタ３４は反射層３１に接着止めされていて、その内部に複数の半導体発光素子２および回路パターン３が収められているとともに、前記一対の給電パターン部３ｃ、３ｄはリフレクタ３４の外部に位置されている。リフレクタ３４は、例えば合成樹脂で成形することができ、その内周面は反射面となっている。リフレクタ３４の反射面は、ＡｌやＮｉ等の反射率の高い金属材料を蒸着またはメッキして形成することができる他、可視光の反射率の高い白色塗料を塗布して形成することができる。あるいは、リフレクタ３４の成形材料中に白色粉末を混入して、リフレクタ３４自体を可視光の反射率が高い白色にすることもできる。前記白色粉末としては、酸化アルミニウム、酸化チタン、酸化マグネシウム、硫酸バリウム等の白色フィラーを用いることができる。なお、リフレクタ３４の反射面は、発光装置１の照射方向に次第に開くように形成することが望ましい。
【００４２】
蛍光体含有樹脂層９は、発光部群ごとに各種類の蛍光体を所定の配合量で混合した液状の熱硬化性樹脂をディスペンサ等の注入装置を用いて、所望の単色光を得るためにラインごとに、反射層３１の表面および一直線上に配列された各半導体発光素子２およびボンディングワイヤ６等を満遍なく埋めるようにして、これらの一直線上に配列された各半導体発光素子２に沿ってライン状に塗布、充填し、加熱により熱硬化性樹脂を硬化させることにより形成されている。同様に、一直線上に配列された各半導体発光素子２の所定のラインごとに、所望の色の光を発光する蛍光体を含む蛍光体層が形成されている。このように各発光部群の蛍光体層（青色光については透明樹脂層）をライン状に形成する場合には、製造が容易であり、製造コストが低い。なお、蛍光体を含有した熱硬化性樹脂をディスペンサ等の注入装置を用いて塗布するときには、例えば１４Ｐａ・Ｓ程度の高い粘度で塗布することが好ましい。また、前記熱硬化性樹脂の塗布の前に、ラインごとに塗り分けるための壁部を予め基板４上に設けることもできる。このように、同じ発光部群における蛍光体は、ＬＥＤ青色チップ２上に、同じ種類おなじ配合比で配合された２液型シリコーン樹脂を用いて形成されるので、蛍光体からの単色光の発光のばらつきが抑制でき、蛍光体が発光する光の特性、例えば発光強度や色度（例えば、色温度）などのばらつきの少ない発光を得ることができる。
【００４３】
次に、基板上へ各発光部群が配置される配列パターンについて説明する。図３は、３群の発光部群を、一直線上に配列された各半導体発光素子２に沿ってライン状に平行にそれぞれ配置させた発光装置の一例を模式的に示す図である。図３のように、それぞれライン状に平行に配置された３郡の発光部群は、青色ＬＥＤチップ２からの青色光を透明樹脂層を透過させて放射する発光部群と、前記青色光により励起されて赤色光を発光する発光部群と、前記青色光により励起されて緑色光を発光する発光部群と、から順に構成されている。各発光部群が、それぞれ個別に単色光を発光できるように回路パターン３を設定することもできる。このように、３種類の発光部群を各半導体発光素子２に沿ってライン状に平行に形成させることにより、各々の発光部群ごとの蛍光体のばらつき、特に塗布量に起因するばらつきがより抑制される。またライン状に塗布するため、製造も容易である。
【００４４】
図４は、４群の発光部群をそれぞれライン状に平行に配置させた発光装置の一例を模式的に示す図である。４群の発光部群は、青色光を発光（透過）する発光部群と、緑色光を発光する発光部群と、黄色光を発光する発光部群と、赤色光を発光する発光部群と、から順に構成されている。これらの４群の各発光部群が、それぞれ個別に単色光を発光できるように回路パターン３を設定することもできる。このように、４群の発光部群を配置することにより、色度の可変色の調整が容易となる。
【００４５】
図５は、４群の発光部群をそれぞれ２段のライン状に平行に配置された発光装置の一例を模式的に示す図である。ここで、２段のライン状に平行に配置とは、基板４上のＬＥＤ発光素子２をボンディングワイヤによって接続された一直線上に配列された各半導体発光素子２の配列方向に直交するように略中央から上部と下部の２段に分け、上部と下部のそれぞれの範囲について４群の各発光部群をライン状に、上部と下部の各発光部群が２つおきに相互に平行になるように配置する。このように、４群の発光部群をそれぞれ２段のライン状に平行に配置することにより、単色光の混色がより容易になる。
【００４６】
図６は、４群の各発光部群をマトリックス状に配置した発光装置の一例を模式的に示す図である。マトリックス状に配置するとは、図６に示されるように発光部群を格子状に配置することである。４群の各発光部群が、それぞれ個別に単色光を発光できるように回路パターン３を設定することもできる。このように、４群の各発光部群をマトリックス状に配置することにより、各発光部群からの単色光の混色がより容易になり、光拡散部材３３を省略、または少なくとも光拡散部材３３の厚さを薄くすることができ、光拡散部材３３の使用による輝度の低下を抑制できる。
【００４７】
また、この実施形態に係わる発光装置１は、ＣＯＢモジュールであるので、基板４上のＬＥＤチップ２の間隔を狭く（狭ピッチに）することができるので、より高輝度の発光装置を得ることができる。また、ＬＥＤチップ２の間隔を狭めることができるので、各発光部群から得られる単色光がより混色された光を得ることができる。
【００４８】
この実施形態のＬＥＤランプ１では、印加された電気エネルギーがＬＥＤチップ２で主波長が４２０〜４８０ｎｍ（例えば４６０ｎｍ）の青色光に変換されて放射される。放射された青色光は、各発光部群中の各蛍光体によって、より長波長の光に変換される。各発光部群からの発光色（単色）に基づいてＬＥＤチップから放射される青色光と混色されて単色光となる。これらの各蛍光体からの単色光の混色に基づく白色光がＬＥＤランプ１から放出される。このように構成された発光装置は、高い演色性を維持しつつ、高い発光効率であり、かつ所望の色度の光の発光を得ることができる。また、各発光部群における蛍光体の種類、配合量および／または蛍光体樹脂の厚さ（光路長）の調整により、所望の色温度における黒体放射からの偏差の抑制された白色光を得ることができる。
【００４９】
次に、本発明の一実施形態に係わる発光装置の別の例について説明する。この実施形態では、青色発光チップの代わりに紫外発光チップを使用する。紫外発光タイプのＬＥＤチップとしては、ＧａＮ系、ＩｎｘＧａ１−ｘＮ系をはじめ既存のあらゆるものを使用することができる。
【００５０】
紫外光により励起されて青色光を発光する青色蛍光体としては、ＢＡＭ系蛍光体例えばＢａＭｇＡｌ１０Ｏ１７：Ｅｕ２＋などが用いられるが、特に限定されるものではない。紫外光により励起されて緑色を発光する緑色蛍光体は、例えば（Ｓｒ，Ｂａ）２ＳｉＯ４：Ｅｕ２＋などが用いられるが、特に限定されるものではない。紫外光により励起されて赤色を発光する赤色蛍光体としては、Ｌａ２Ｏ３Ｓ：Ｅｕ３＋蛍光体のような酸硫化物蛍光体、窒化物系蛍光体（例えば、ＣａＡｌＳｉＮ３：Ｅｕ）など、あるいはジャーマネート系蛍光体、例えば、マンガン付活マグネシウムフルオロジャーマネート（２．５ＭｇＯ・ＭｇＦ２：Ｍｎ４＋）などが用いられるが、特に限定されるものではない。紫外光により励起されて黄色を発光する蛍光体としては、（Ｙ、Ｇｄ）３Ａｌ５Ｏ１２：Ｃｅなどが用いられるが、特に限定されるものではない。例えば、前記紫外光により励起されて波長４２０ｎｍ以上４８０ｎｍ以下の範囲に発光強度のピークを有する青色蛍光体、波長５００ｎｍ以上５４０ｎｍ未満の範囲に発光ピークを有する緑色蛍光体、波長５４０ｎｍ以上５９０ｎｍ未満の範囲に発光ピークを有する黄色系蛍光体および波長５９０ｎｍ以上６５０ｎｍ未満の範囲に発光ピークを有する赤色蛍光体などを用いることができる。なお、これら各単色光を発光する各発光部群の蛍光体の種類および配合割合は、発光装置からの発光の平均演色評価数Ｒａが高く、かつ高い発光効率が得られるように、また、所望の色温度における白色などが得られるように調整される。
【００５１】
この実施形態のＬＥＤランプ１でも、高い演色性を維持しつつ、高い発光効率であり、かつ所望の色度の光の発光を得ることができる。また、各発光部群における蛍光体の種類、配合量および／または蛍光体樹脂の厚さ（光路長）の調整により、所望の色温度における黒体放射からの偏差の抑制された白色光を得ることができる。
【００５２】
次に、これらの実施形態に係わる発光装置からの発光についてＣＩＥ色度図を用いてさらに説明する。図７は、これらの実施形態に係わる発光装置の発光の色度（可変色域）を示す図である。ここでは、青色発光チップを用いる場合について説明する。発光装置１は、青色光により励起されて緑色光を発光する発光部群２Ｂと、黄色光を発光する発光部群２Ｙと、赤色光を発光する発光部群２Ｒと、青色光を発光する発光部群２Ｂと、から構成される。この実施形態に係る発光装置は、青色光、緑色光、黄色光および赤色光を得ることができるので、図７に示された範囲の色度を得ることができ、この範囲内で可変可能である。以下に詳細に説明する。
【００５３】
図７の色度図では、青色ＬＥＤチップからの青色発光の色度を点Ａで、５２５ｎｍの主波長を有する緑色蛍光体から発光される光の色度を点Ｂで、５６５ｎｍの主波長を有する黄色蛍光体から発光される光の色度を点Ｃで、６３０ｎｍの主波長を有する赤色蛍光体から発光される光の色度を点Ｄでそれぞれ表す。また、黒体放射の軌跡（黒体軌跡）を曲線ａで表す。さらに、黒体軌跡ａ上で所望の色温度（例えば５０００Ｋ）を点Ｅで表し、その色温度における偏差を点Ｅを含む直線で表す。同様に、黒体軌跡ａ上での他の所望の色温度およびその色温度における偏差を黒体軌跡ａ上の各点および各点を含む直線で表す。
【００５４】
緑色発光部群２Ｇからの発光は、緑色蛍光体からの緑色発光と青色ＬＥＤチップからの青色光とが加色された光の色度であり、図７に示す色度図上で、点Ａと点Ｂを結ぶ直線上の任意の点（図示せず）で表される。この点は、緑色蛍光体の配合量を調整することにより移動させることができ、例えば緑色蛍光体の配合量を増加させることにより点Ｂ側に移動させることができる。赤色発光部群２Ｒからの発光についても、同様に、赤色蛍光体の配合量を調整することにより点Ａと点Ｄを結ぶ直線上の任意の点（図示せず）に移動させることができる。ここで、緑色蛍光体の配合量と赤色蛍光体の配合量を調整することにより、点Ａ、点Ｂおよび点Ｃを結んで形成される三角形内の任意の点の色度を得ることが可能になる。さらに、黄色発光部群２Ｙからの発光についても、同様に、黄色蛍光体の配合量を調整することにより点Ａと点Ｃを結ぶ直線上の任意の点（いずれも図示せず）に移動させることができるので、緑色蛍光体、赤色蛍光体および黄色蛍光体の配合量を調整することにより、点Ａ、点Ｂ、点Ｃおよび点Ｄを結ぶ四角形内の任意の点の色度を得ることができる。すなわち、所望の色温度における色の偏差の抑制された白色光を得ることができる。各蛍光体を含む発光部群からの発光の調整は、各蛍光体の配合量だけでなく、各色蛍光体を含有する蛍光体樹脂層の厚さ（光路長）を調整することにより行なうことができる。
【００５５】
また、各発光部群がそれぞれ個別に単色光を発光するように、それぞれ個別に給電パターン部３ｃ，３ｄを介して図示しない電線を通して電源から電流を供給できるように設定し、前記電源から供給される電流を調整することにより、各発光部群の青色ＬＥＤチップに印加される電気エネルギーを調整してＬＥＤの発光を調整することによっても所望の色度の発光を得ることができる。この場合、各蛍光体を含む各発光部群の蛍光体の配合量や蛍光体層の厚さ（光路長）の設定を代えなくても、前記電源から供給される電流を調整することにより可変色化することができるので可変色発光装置を提供できる。また、用途に応じた範囲で可変色のラインナップが可能になり、表示装置としても利用できる。
【実施例】
【００５６】
次に、本発明の実施例について記載する。
【００５７】
（実施例１）
約５ｃｍ角に、チップ数が縦１１、横１２ずつ実装されているＣＯＢパッケージを準備した。なお、このＣＯＢパッケージの、縦のラインのチップを個別に点灯できる方式とした。チップは波長４６０ｎｍを発光する青色チップを使用した。
緑色光については波長５２５ｎｍにピーク波長を有する緑色蛍光体を約３０重量％で２液型透明シリコーン樹脂に配合し、完全に分散させた。黄色光については波長５６５ｎｍにピーク波長を有する黄色蛍光体を、赤色光については波長６３０ｎｍにピーク波長を有する赤色蛍光体を、それぞれ約３０重量％で２液型透明シリコーン樹脂に配合し、完全に分散させた。なお、青色光については蛍光体を含有させず、２液型透明シリコーン樹脂のみを使用した。
【００５８】
次に、こうして得られた各種の蛍光体含有シリコーン樹脂を、各ラインごとに、所望の色を得るために、開口径３ｍｍの凹部８内にラインごとに塗布した後、シリコーン樹脂を硬化させて蛍光体含有樹脂層を形成し、図１に示す構成を有するＬＥＤランプ１を作成した。なお、これらの樹脂の塗布は、１４Ｐａ・ｓの高粘度で行なった。各色の塗り分けは、図４に示すように、左から青色、黄色、緑色、赤色の順で行なった。また、蛍光体含有樹脂層９の光路長は１．０ｍｍとした。光路長は、ＬＥＤチップの上面より光取り出し側の蛍光体含有樹脂層の厚さをいう。
【００５９】
こうして得られたＬＥＤランプを発光させ、発光の色温度、色温度の偏差、平均演色評価数Ｒａおよび発光効率をそれぞれ測定したところ、その色度は、図７に示す可変色域の範囲内に存在することが確認された。よって、緑色蛍光体、黄色蛍光体および／または赤色蛍光体の配合比（重量％）を変更させることにより、図７の可変色域内で所望の色度が得られることが確認された。また、所定の色温度において色の偏差のない白色光が得られることが確認された。
【図面の簡単な説明】
【００６０】
【図１】本発明の一実施形態に係わる発光装置の一例を示す平面図である。
【図２】図１のＦ−Ｆ線断面図である。
【図３】３群の発光部群をライン状に平行にそれぞれ配置させた発光装置の一例を模式的に示す図である。
【図４】４群の発光部群をそれぞれライン状に平行に配置させた発光装置の一例を模式的に示す図である。
【図５】４群の発光部群をそれぞれ２段のライン状に平行に配置された発光装置の一例を模式的に示す図である。
【図６】４群の各発光部群をマトリックス状に配置した発光装置の一例を模式的に示す図である。
【図７】本発明の一実施形態に係わる発光装置の発光の色度（可変色域）を模式的に示す図である。
【符号の説明】
【００６１】
１…ＬＥＤランプ、２…ＬＥＤチップ、３…回路パターン、４…基板、６…ボンディングワイヤ、７…凹部、８…フレーム、９…蛍光体含有樹脂層、３１…反射層、３２…接着層、３３…光拡散部材、３４…リフレクタ。
【図１】
2008218486.tif 000003
【図２】
2008218486.tif 000004
【図３】
2008218486.tif 000005
【図４】
2008218486.tif 000006
【図５】
2008218486.tif 000007
【図６】
2008218486.tif 000008
【図７】
2008218486.tif 000009